Podtech/llm-jp-corpus-v4-ja_patent huggingface dataset:
【手続補正書】
【提出日】平成30年11月5日(2018.11.5)
【手続補正１】
【補正対象書類名】明細書
【補正対象項目名】００７０
【補正方法】変更
【補正の内容】
【００７０】
結論
本発明による製品は、消化性および美味しさに悪影響を及ぼさずに、イヌに満腹感を誘発する。
以下、本発明の好ましい実施形態を項分け記載する。
実施形態１
ペット動物における満腹感の達成に使用するための押出包装ペットフード製品であって、１５％超から３０％の水分、１１％から４５％までの炭水化物、脂肪およびタンパク質、０．７超のＡｗ、並びに２５０から３００ｇ／ｌの範囲の密度を有する押出包装ペットフード製品。
実施形態２
押出後に添加される成分を含まない、実施形態１に記載の押出包装ペットフード製品。
実施形態３
２０％から２７％の水分を有する、実施形態１または２に記載の押出包装ペットフード製品。
実施形態４
１５％から２０％の水分を有する、実施形態１または２に記載の押出包装ペットフード製品。
実施形態５
約１８％の水分を有する、実施形態１または２に記載の押出包装ペットフード製品。
実施形態６
前記Ａｗが０．８より大きい、実施形態１から５いずれか１つに記載の押出包装ペットフード製品。
実施形態７
前記満腹感の達成における使用が、体重増加の防止および／または体重維持を含む、実施形態１から６いずれか１つに記載の押出包装ペットフード製品。
実施形態８
飼いイヌまたは飼いネコにおける満腹感の達成に使用するための、実施形態１から７いずれか１つに記載の押出包装ペットフード製品。
実施形態９
前記炭水化物が１３から１７％のレベルで存在する、実施形態１から８いずれか１つに記載の押出包装ペットフード製品。
実施形態１０
少なくとも一部が過熱蒸気の存在下で製造される、実施形態１から９いずれか１つに記載の押出包装ペットフード製品。
実施形態１１
酸をさらに含む、実施形態１から１０いずれか１つに記載の押出包装ペットフード製品。
実施形態１２
前記酸が０．５から１０％の量で存在する、実施形態１１に記載の押出包装ペットフード製品。
実施形態１３
前記酸が乳酸である、実施形態１１または１２に記載の押出包装ペットフード製品。
実施形態１４
動物における満腹感を達成させる方法であって、１５％超から３０％の水分、１１％から４５％までの炭水化物、脂肪およびタンパク質、０．９超のＡｗ、並びに２５０から３００ｇ／ｌの範囲の密度を有する押出包装ペットフード製品を、ペット動物に給餌する工程を有してなる方法。
実施形態１５
前記ペット動物が飼いイヌまたは飼いネコである、実施形態１４に記載の方法。
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
非アルコール性脂肪性肝炎（ＮＡＳＨ）、肝臓線維症または硬変から選択される線維症に関連する疾患を患者において治療する方法において使用するための、配列番号２０１のポリペプチドを含む改変ＦＧＦ−２１ポリペプチドを含む組成物であって、前記改変ＦＧＦ−２１ポリペプチドのパラ−アセチル−フェニルアラニン残基が、ポリ（エチレングリコール）部分に連結される、組成物。
【請求項２】
前記線維症に関連する疾患がＮＡＳＨである、請求項１に記載の組成物。
【請求項３】
ＮＡＳＨを患者において治療または予防する方法において使用するための、配列番号２０１のポリペプチドを含む改変ＦＧＦ−２１ポリペプチドを含む組成物であって、前記改変ＦＧＦ−２１ポリペプチドのパラ−アセチル−フェニルアラニン残基が、ポリ（エチレングリコール）部分に連結される、組成物。
【請求項４】
前記線維症に関連する疾患が硬変である、請求項１に記載の組成物。
【請求項５】
前記線維症に関連する疾患が肝臓線維症である、請求項１に記載の組成物。
【請求項６】
前記ポリ（エチレングリコール）が約０．１ｋＤａ〜約１００ｋＤａの分子量を有する、請求項１〜５のいずれか一項に記載の組成物。
【請求項７】
前記ポリ（エチレングリコール）が約１０ｋＤａ〜約４０ｋＤａの分子量を有する、請求項６に記載の組成物。
【請求項８】
前記ポリ（エチレングリコール）が約３０ｋＤａの分子量を有する、請求項７に記載の組成物。
【請求項９】
前記改変ＦＧＦ−２１ポリペプチドが、前記患者において、肝臓の脂肪画分の減少およびアディポネクチンレベルの増加の１つ以上をもたらす、請求項１〜８のいずれか一項に記載の組成物。
【請求項１０】
治療前に前記患者が、少なくとも約６０の脂肪症インデックスおよび／または少なくとも１０％の磁気共鳴画像によって任意に決定される肝臓の脂肪画分の割合を示す、請求項１〜８のいずれか一項に記載の組成物。
【請求項１１】
治療前に前記患者が、肝生検によって任意に決定されるＮＡＳＨ  ＣＲＮ線維症ステージ１〜ステージ３を示す、請求項１〜８のいずれか一項に記載の組成物。
【請求項１２】
前記改変ＦＧＦ−２１ポリペプチドが皮下注射によって投与される、請求項１〜１１のいずれか一項に記載の組成物。
【請求項１３】
前記改変ＦＧＦ−２１ポリペプチドが、１日当たり約１回、１週間当たり約１回、１週間当たり約２回、２週間当たり約１回、３週間当たり約１回、または４週間当たり約１回の頻度で投与される、請求項１〜１２のいずれか一項に記載の組成物。
【請求項１４】
前記改変ＦＧＦ−２１ポリペプチドが、患者の体重の約０．０５ｍｇ／ｋｇ〜約１ｍｇ／ｋｇの量で投与される、請求項１〜１３のいずれか一項に記載の組成物。
【請求項１５】
非アルコール性脂肪性肝炎（ＮＡＳＨ）を治療する方法において使用するための、配列番号２０１のポリペプチドを含む改変ＦＧＦ−２１ポリペプチドを含む組成物であって、前記改変ＦＧＦ−２１ポリペプチドのパラ−アセチル−フェニルアラニン残基が、ポリ（エチレングリコール）部分に連結され、前記ポリ（エチレングリコール）が、約３０ｋＤａの分子量を有し、前記改変ＦＧＦ−２１ポリペプチドが、１週間当たり約１回の頻度で、患者の体重の約０．０５ｍｇ／ｋｇ〜約１ｍｇ／ｋｇの量で投与される、組成物。
【請求項１６】
非アルコール性脂肪性肝炎（ＮＡＳＨ）を治療する方法において使用するための、配列番号２０１のポリペプチドを含む改変ＦＧＦ−２１ポリペプチドを含む組成物であって、前記改変ＦＧＦ−２１ポリペプチドのパラ−アセチル−フェニルアラニン残基が、ポリ（エチレングリコール）部分に連結され、前記ポリ（エチレングリコール）が、約３０ｋＤａの分子量を有し、前記改変ＦＧＦ−２１ポリペプチドが、１週間当たり約１回の頻度で、２０ｍｇの量で皮下注射によって投与される、組成物。
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
ヒト表面抗原分類７３（ＣＤ７３）に結合し、それぞれ配列番号５、６および７を含む重鎖ＣＤＲ１、ＣＤＲ２およびＣＤＲ３配列、およびそれぞれ配列番号１３、１４および１５を含む軽鎖ＣＤＲ１、ＣＤＲ２およびＣＤＲ３配列を含む、単離抗体であって、ＩｇＧ２ヒンジおよびＩｇＧ２  ＣＨ１ドメインを含む重鎖定常領域を含む、単離抗体。
【請求項２】
ヒンジドメインが、野生型ヒトＩｇＧ２ヒンジドメイン（配列番号１３６）に対してＣ２１９Ｓのアミノ酸置換を含む、請求項１に記載の単離抗体。
【請求項３】
重鎖定常領域が、
（ａ）配列番号１２４のアミノ酸配列を含むＣＨ１ドメイン；および
（ｂ）配列番号１２３のアミノ酸配列を含むヒンジドメイン
を含む、請求項１または２に記載の単離抗体。
【請求項４】
抗体が配列番号１３５に示すアミノ酸配列を含む重鎖可変領域と配列番号１２に示すアミノ酸配列を含む軽鎖可変領域を含む、請求項１〜３のいずれかに記載の単離抗体。
【請求項５】
抗体が配列番号１３３または１８９に示すアミノ酸配列を含む重鎖と配列番号１０２に示すアミノ酸配列を含む軽鎖を含む、請求項１〜３のいずれかに記載の単離抗体。
【請求項６】
重鎖および軽鎖がそれぞれ完全長重鎖および軽鎖配列である、請求項１〜３のいずれかに記載の単離抗体。
【請求項７】
ＩｇＧ抗体である、請求項６に記載の単離抗体。
【請求項８】
抗体が配列番号１３３に示すアミノ酸配列を含む重鎖と配列番号１０２に示すアミノ酸配列を含む軽鎖を含む、請求項１〜３のいずれかに記載の単離抗体。
【請求項９】
抗体が配列番号１８９に示すアミノ酸配列を含む重鎖と配列番号１０２に示すアミノ酸配列を含む軽鎖を含む、請求項１〜３のいずれかに記載の単離抗体。
【請求項１０】
次の性質の一つ以上を示す、請求項１〜９のいずれかに記載の単離抗体：
（ａ）表面プラズモン共鳴（ＳＰＲ）分析で測定して１０ｎＭ以下のＫＤでヒトＣＤ７３に結合；
（ｂ）ＣＤ７３酵素活性阻害；
（ｃ）細胞、例えば、腫瘍細胞への抗体介在ＣＤ７３内在化によるＣＤ７３内在化；および
（ｄ）ＦＡＣＳで測定して０．１〜１０ｎＭ以下のＥＣ５０でヒトＣＤ７３に結合。
【請求項１１】
野生型ＩｇＧ１抗体と比較して低減したエフェクター機能を有する、請求項１〜３のいずれかに記載の単離抗体。
【請求項１２】
請求項１〜１１のいずれかに記載の抗体、および薬学的に許容される担体を含む、組成物。
【請求項１３】
１以上のさらなる治療剤をさらに含む、請求項１２に記載の組成物。
【請求項１４】
さらなる治療剤が、プログラム細胞死タンパク質１（ＰＤ−１）アンタゴニスト、プログラム死リガンド１（ＰＤ−Ｌ１）アンタゴニスト、細胞毒性Ｔリンパ球関連タンパク質４（ＣＴＬＡ−４）アンタゴニスト、またはリンパ球活性化遺伝子−３（ＬＡＧ−３）アンタゴニストである、請求項１３に記載の組成物。
【請求項１５】
第二の結合特異性を有する分子に連結し、それによって二重特異性分子を形成する、請求項１に記載の抗体。
【請求項１６】
第二の異なる薬剤に連結し、それによって免疫複合体を形成する、請求項１に記載の抗体。
【請求項１７】
請求項１に記載の抗体の重鎖および／または軽鎖可変領域をコードする、単離核酸分子。
【請求項１８】
請求項１７に記載の核酸分子を含む、発現ベクター。
【請求項１９】
請求項１８に記載の発現ベクターで形質転換した、細胞。
【請求項２０】
請求項１５に記載の二重特異性分子または請求項１６に記載の免疫複合体を含む、組成物。
【請求項２１】
請求項１に記載の抗体および使用指示を含む、キット。
【請求項２２】
請求項１９に記載の細胞で抗体を発現させ、該細胞から抗体を単離することを含む、抗ＣＤ７３抗体を製造する方法。
【請求項２３】
請求項１〜１１のいずれかに記載の抗体を含む、腫瘍におけるアデノシンレベルを低減するための組成物。
【請求項２４】
請求項１〜１１のいずれかに記載の抗体の有効量を含む、処置を必要とする対象における腫瘍に対して免疫応答を刺激するための組成物。
【請求項２５】
請求項１〜１１のいずれかに記載の抗体を含む、対象における免疫応答を刺激するための組成物。
【請求項２６】
請求項１〜１１のいずれかに記載の抗体を含む、対象における腫瘍細胞の増殖を阻止するための組成物。
【請求項２７】
請求項１〜１１のいずれかに記載の抗体の治療有効量を含む、対象における癌を処置するための組成物。
【請求項２８】
癌が膀胱癌、乳癌、子宮／子宮頸癌、卵巣癌、前立腺癌、精巣癌、食道癌、消化器癌、膵臓癌、結腸直腸癌、結腸癌、腎臓癌、頭頸部癌、肺癌、胃癌、胚細胞癌、骨癌、肝臓癌、甲状腺癌、皮膚癌、中枢神経系の新生物、リンパ腫、白血病、骨髄腫、肉腫およびウイルス関連癌からなる群から選択される、請求項２７に記載の組成物。
【請求項２９】
１以上のさらなる治療剤をさらに含む、請求項２７または２８に記載の組成物。
【請求項３０】
さらなる治療剤が、ＰＤ−１アンタゴニスト、ＰＤ−Ｌ１アンタゴニスト、ＣＴＬＡ−４アンタゴニストまたはＬＡＧ−３アンタゴニストである、請求項２９に記載の組成物。
【請求項３１】
請求項１〜１１のいずれかに記載の抗体を含む、サンプルにおけるヒトＣＤ７３の存在を検出するための組成物。
【手続補正書】
【提出日】平成30年9月28日(2018.9.28)
【手続補正１】
【補正対象書類名】特許請求の範囲
【補正対象項目名】全文
【補正方法】変更
【補正の内容】
【特許請求の範囲】
【請求項１】
レバウジオシドＫＡからレバウジオシドＥを合成するための方法であって、
レバウジオシドＫＡと、スクロース、ウリジン二リン酸（ＵＤＰ）およびウリジン二リン酸−グルコース（ＵＤＰ−グルコース）からなる群より選択される基質と、ＨＶ１、ＥＵＧＴ１１およびＵＤＰ−グリコシルトランスフェラーゼ融合酵素からなる群から選択されるＵＤＰ−グリコシルトランスフェラーゼと、を含む反応混合物を調製するステップ、ならびに
前記反応混合物を、レバウジオシドＥを生成させるのに十分な時間の間インキュベートするステップ、
を含み、グルコースが共有結合により前記レバウジオシドＫＡのＣ２’１３−Ｏ−グルコースにカップリングされてレバウジオシドＥが生成される、方法。
【請求項２】
ルブソシドからレバウジオシドＥを合成するための方法であって、
ルブソシドと、スクロース、ウリジン二リン酸（ＵＤＰ）およびウリジン二リン酸−グルコース（ＵＤＰ−グルコース）からなる群より選択される基質と、ＨＶ１、ＥＵＧＴ１１およびＵＤＰ−グリコシルトランスフェラーゼ融合酵素（ＥＵＳ）からなる群より選択されるＵＤＰ−グリコシルトランスフェラーゼと、を含む反応混合物を調製するステップ、ならびに
前記反応混合物を、レバウジオシドＥを生成させるのに十分な時間の間インキュベートするステップ、
を含み、グルコースが共有結合により前記ルブソシドにカップリングされてレバウジオシドＫＡが生成され、グルコースが共有結合によりレバウジオシドＫＡにカップリングされてレバウジオシドＥが生成される、方法。
【請求項３】
ルブソシドからレバウジオシドＤ２を合成するための方法であって、
ルブソシドと、スクロース、ウリジン二リン酸（ＵＤＰ）およびウリジン二リン酸−グルコース（ＵＤＰ−グルコース）からなる群より選択される基質と、ＥＵＧＴ１１およびＵＤＰ−グリコシルトランスフェラーゼ融合酵素（ＥＵＳ）からなる群より選択されるＵＤＰ−グリコシルトランスフェラーゼと、を含む反応混合物を調製するステップ、
前記反応混合物を、ステビオシドおよびレバウジオシドＫＡの混合物を生成させるのに十分な時間の間インキュベートするステップであって、グルコースが共有結合によりルブソシドにカップリングされてステビオシドおよびレバウジオシドＫＡの混合物が生成されるステップ、
前記ステビオシドおよびレバウジオシドＫＡの混合物をＥＵＧＴ１１とともにさらにインキュベートしてレバウジオシドＥを生成させるステップであって、グルコースが共有結合によりステビオシドおよびレバウジオシドＫＡにカップリングされてレバウジオシドＥが生成されるステップ、ならびに
レバウジオシドＥをＥＵＧＴ１１とともにさらにインキュベートしてレバウジオシドＤ２を生成させるステップであって、グルコースが共有結合によりレバウジオシドＥにカップリングされてレバウジオシドＤ２が生成されるステップ、
を含む方法。
【請求項４】
レバウジオシドＫＡからレバウジオシドＤ２を合成するための方法であって、
レバウジオシドＫＡと、スクロース、ウリジン二リン酸（ＵＤＰ）およびウリジン二リン酸−グルコース（ＵＤＰ−グルコース）からなる群より選択される基質と、ＥＵＧＴ１１およびＵＤＰ−グリコシルトランスフェラーゼ融合酵素（ＥＵＳ）からなる群より選択されるＵＤＰ−グリコシルトランスフェラーゼと、を含む反応混合物を調製するステップ、
前記反応混合物を、レバウジオシドＥを生成させるのに十分な時間の間インキュベートするステップであって、グルコースが共有結合によりレバウジオシドＫＡにカップリングされてレバウジオシドＥが生成されるステップ、ならびに
前記生成されたレバウジオシドＥをＥＵＧＴ１１と共にさらにインキュベートしてレバウジオシドＤ２を生成させるステップ、
を含む方法。
【請求項５】
スクロースシンターゼを前記反応混合物に添加することをさらに含む、請求項１〜４のいずれか１項に記載の方法。
【請求項６】
前記スクロースシンターゼが、シロイヌナズナ属スクロースシンターゼ１；シロイヌナズナ属スクロースシンターゼ３；ならびにリョクトウスクロースシンターゼからなる群より選択される、請求項５に記載の方法。
【請求項７】
前記スクロースシンターゼがシロイヌナズナスクロースシンターゼ１である、請求項５に記載の方法。
【請求項８】
前記ＵＤＰ−グリコシルトランスフェラーゼ融合酵素が、スクロースシンターゼドメインに結合されたＥＵＧＴ１１ウリジンジホスホグリコシルトランスフェラーゼドメインからなる群から選択される、請求項１〜４のいずれか１項に記載の方法。
【請求項９】
前記スクロースシンターゼドメインが、シロイヌナズナ属スクロースシンターゼ１；シロイヌナズナ属スクロースシンターゼ３；ならびにリョクトウスクロースシンターゼからなる群より選択される、請求項８に記載の方法。
【請求項１０】
前記スクロースシンターゼドメインがシロイヌナズナスクロースシンターゼ１である、請求項８に記載の方法。
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
大規模並列核酸シーケンシングで使用するための組成物であって、
ａ）複数のライブラリーインサートを含む核酸のライブラリーであって、前記ライブラリーの各核酸が、（i）４つ以上のサンプルのうちの１つから得られる少なくとも１つのライブラリーインサート、（ii）第１の非ネイティブ核酸、及び（iii）第２の非ネイティブ核酸を含み、前記第１の非ネイティブ核酸及び前記第２の非ネイティブ核酸が前記少なくとも１つのライブラリーインサートの反対側に位置し、及び前記第１の非ネイティブ核酸が第１の識別可能な核酸バーコードを含み、且つ前記第２の非ネイティブ核酸が第２の識別可能な核酸バーコードを含み、前記第１及び第２の識別可能な核酸バーコードが前記４つ以上のサンプルのうちの前記１つにユニークである、核酸のライブラリー；及び
ｂ）４つのＵブロック核酸であって、（i）第１及び第２のＵブロック核酸が、前記第１の識別可能な核酸バーコードの反対側の前記第１の非ネイティブ核酸とハイブリダイズするように立体配置されており、且つ（ii）第３及び第４のＵブロック核酸が、前記第２の識別可能な核酸バーコードの反対側の前記第２の非ネイティブ核酸とハイブリダイズするように立体配置されており、且つ（iii）前記Ｕブロック核酸の各々が、前記第１又は第２の識別可能な核酸バーコードの部分と実質的にハイブリダイズしない、４つのＵブロック核酸
を含む、組成物。
【請求項２】
前記核酸のライブラリーが少なくとも８つの識別可能な核酸バーコードを含み、任意選択で前記少なくとも８つの識別可能な核酸バーコードの各々が前記ライブラリーの異なる核酸に存在する、請求項１に記載の組成物。
【請求項３】
前記第１及び第２のＵブロック核酸が前記第１の非ネイティブ核酸の部分と実質的に相補的であり、且つ前記第３及び第４のＵブロック核酸が前記第２の非ネイティブ核酸の部分と実質的に相補的である、請求項１または２に記載の組成物。
【請求項４】
４つ以下のＵブロック核酸を含む、請求項１〜３のいずれか一項に記載の組成物。
【請求項５】
１つ又は複数のキャプチャー核酸を含み、
（i）前記キャプチャー核酸が結合ペアのメンバーを含み；及び
（ii）前記キャプチャー核酸の各々が、前記ライブラリーの核酸のサブセットと特異的にハイブリダイズするように立体配置されている、請求項１〜４のいずれか一項に記載の組成物。
【請求項６】
前記核酸のライブラリーが１０以上の識別可能な核酸バーコードを含む、請求項１〜５のいずれか一項に記載の組成物。
【請求項７】
前記第１及び第２の非ネイティブ核酸がアダプター核酸を含む、請求項１〜６のいずれか一項に記載の組成物。
【請求項８】
前記４つのＵブロック核酸の各々が１０〜４０ヌクレオチドの長さを含む、請求項１〜７のいずれか一項に記載の組成物。
【請求項９】
前記４つのＵブロック核酸の各々がロックド核酸を含む、請求項１〜８のいずれか一項に記載の組成物。
【請求項１０】
前記４つのＵブロック核酸の各々が架橋核酸を含む、請求項１〜９のいずれか一項に記載の組成物。
【請求項１１】
前記４つのＵブロック核酸の各々が少なくとも６５℃の融解温度を含む、請求項１〜１０のいずれか一項に記載の組成物。
【請求項１２】
前記４つのＵブロック核酸が識別可能な核酸バーコードと実質的にハイブリダイズしないことを特徴とする、請求項１〜１１のいずれか一項に記載の組成物。
【請求項１３】
前記４つのＵブロック核酸が鎖ターミネータを含む、請求項１〜１２のいずれか一項に記載の組成物。
【請求項１４】
核酸ライブラリーを解析する方法であって、
ａ）複数のライブラリーインサートを含む核酸のライブラリーを得るステップであって、前記ライブラリーの各核酸が、（i）４つ以上のサンプルのうちの１つから得られる少なくとも１つのライブラリーインサート、（ii）第１の非ネイティブ核酸、及び（iii）第２の非ネイティブ核酸を含み、前記第１の非ネイティブ核酸及び前記第２の非ネイティブ核酸が前記少なくとも１つのライブラリーインサートの反対側に位置し、及び前記第１の非ネイティブ核酸が第１の識別可能な核酸バーコードを含み、且つ前記第２の非ネイティブ核酸が第２の識別可能な核酸バーコードを含み、前記第１及び第２の識別可能な核酸バーコードが前記４つ以上のサンプルのうちの前記１つにユニークである、ステップ；
ｂ）前記核酸のライブラリーを４つのＵブロック核酸と接触させるステップであって、（i）第１及び第２のＵブロック核酸が、前記第１の識別可能な核酸バーコードの反対側の前記第１の非ネイティブ核酸とハイブリダイズするように立体配置されており、且つ（ii）第３及び第４のＵブロック核酸が、前記第２の識別可能な核酸バーコードの反対側の前記第２の非ネイティブ核酸とハイブリダイズするように立体配置されており、且つ（iii）前記Ｕブロック核酸の各々が、前記第１又は第２の識別可能な核酸バーコードの部分と実質的にハイブリダイズしない、ステップ；及び
ｃ）前記核酸のライブラリーを、各々が結合ペアの第１のメンバーを含む１つ又は複数のキャプチャー核酸と接触させるステップであって、前記１つ又は複数のキャプチャー核酸が、前記ライブラリーの前記核酸のサブセットと特異的にハイブリダイズするように立体配置されている、ステップ；
ｄ）前記キャプチャー核酸をキャプチャーし、それにより、前記ライブラリーの核酸の前記サブセットを含むキャプチャーされた核酸を取得するステップ；
ｅ）前記キャプチャーされた核酸を増幅条件下でプライマーのセットと接触させ、それにより、アンプリコンを取得するステップ；及び
ｆ）前記アンプリコンを解析するステップ
を含む、方法。
【請求項１５】
前記核酸のライブラリーが１０以上の識別可能な核酸バーコードを含み、
前記４つのＵブロック核酸の各々が１０〜４０ヌクレオチドの長さを含み、
前記４つのＵブロック核酸の各々がロックド核酸または架橋核酸を含み、かつ
前記４つのＵブロック核酸の各々が少なくとも６５℃の融解温度を含む、請求項１４に記載の方法。
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
ＣＨＯ細胞に由来するｒｈＧＡＡ組成物であって、ｒｈＧＡＡが、配列番号１で表されるアミノ酸配列と少なくとも９５％同一であるアミノ酸配列を有して発現され、前記ＣＨＯ細胞により産生された前記ｒｈＧＡＡの５０％以上がカチオン非依存性マンノース−６−リン酸受容体（ＣＩＭＰＲ）に結合するか、または前記ＣＨＯ細胞により産生された前記ｒｈＧＡＡの５０％以上が、モノ−Ｍ６Ｐもしくはビス−Ｍ６Ｐを担持するＮ−グリカンを含む、ｒｈＧＡＡ組成物。
【請求項２】
前記ｒｈＧＡＡの９０％〜１００％がカチオン非依存性マノース−６−リン酸受容体（ＣＩＭＰＲ）に結合するか、または前記ｒｈＧＡＡの９０％〜１００％もしくはより多くが、モノ−Ｍ６Ｐもしくはビス−Ｍ６Ｐを担持するＮ−グリカンを含む、請求項１に記載のｒｈＧＡＡ組成物。
【請求項３】
Ｍ６Ｐを担持するＮ−グリカンの平均含有量が０．５〜７．０ｍｏｌ／ｍｏｌ  ｒｈＧＡＡの範囲である、請求項１に記載のｒｈＧＡＡ組成物。
【請求項４】
Ｍ６Ｐを担持するＮ−グリカンの平均含有量が１．０〜４．０ｍｏｌ／ｍｏｌ  ｒｈＧＡＡの範囲である、請求項１に記載のｒｈＧＡＡ組成物。
【請求項５】
Ｍ６Ｐを担持するＮ−グリカンの平均含有量が５．０〜６．０ｍｏｌ／ｍｏｌ  ｒｈＧＡＡの範囲である、請求項１に記載のｒｈＧＡＡ組成物。
【請求項６】
平均して、前記Ｎ−グリカンが３ｍｏｌ／ｍｏｌ超のＭ６Ｐと４ｍｏｌ／ｍｏｌ超のシアル酸とを含む、請求項１に記載のｒｈＧＡＡ組成物。
【請求項７】
平均して、前記ｒｈＧＡＡ上の前記Ｎ−グリカンの４０〜６０％が複合型Ｎ−グリカンであり、前記ｒｈＧＡＡ上のＮ−グリカンの６．５％以下がハイブリッド型Ｎ−グリカンであり、前記ｒｈＧＡＡ上の高マンノース型Ｎ−グリカンの１５％以下が非リン酸化型であり、前記ｒｈＧＡＡ上の前記高マンノース型Ｎ−グリカンの少なくとも１０％がモノ−Ｍ６Ｐリン酸化型であり、および／または前記ｒｈＧＡＡ上の前記高マンノース型Ｎ−グリカンの少なくとも２％がビス−Ｍ６Ｐリン酸化型である、請求項１に記載のｒｈＧＡＡ組成物。
【請求項８】
前記ｒｈＧＡＡが平均して、１ｍｏｌのｒｈＧＡＡ当たり２．０〜８．０個のシアル酸残基を担持する、請求項１に記載の組成物。
【請求項９】
シャペロンを更に含む、請求項１に記載の組成物。
【請求項１０】
請求項１に記載の組成物を製造する方法であって、前記ｒｈＧＡＡを産生するＣＨＯ細胞株を培養することと、ＣＨＯ細胞の培養物から前記ｒｈＧＡＡ組成物を回収することとを含む方法。
【請求項１１】
請求項１に記載の組成物を産生するＣＨＯ細胞株。
【請求項１２】
請求項１１に記載のＣＨＯ細胞株を製造する方法であって、ｒｈＧＡＡをコードするＤＮＡでＣＨＯ細胞を形質転換させることと、前記ｒｈＧＡＡをコードするＤＮＡを前記ＣＨＯ細胞の染色体に安定的に組み込み、かつｒｈＧＡＡを安定的に発現するＣＨＯ細胞を選択することと、Ｍ６Ｐまたはビス−Ｍ６Ｐを担持するグリカンの含有量が高いｒｈＧＡＡを発現するＣＨＯ細胞を選択することと、任意選択で、シアル酸含有量が高いＮ−グリカンを有するおよび／または非リン酸化高マンノース含有量が低いＮ−グリカンを有するＣＨＯ細胞を選択することとを含む方法。
【請求項１３】
不十分なリソソームｒｈＧＡＡに関連する状態、障害または疾患の処置で使用するための、請求項１に記載の組成物。
【請求項１４】
対象がグリコーゲン貯蔵症ＩＩ型（ポンペ病）を有する、請求項１３に記載の組成物。
【請求項１５】
前記組成物が対象の心筋に投与される、請求項１３に記載の組成物。
【請求項１６】
前記組成物が対象の四頭筋、三頭筋またはその他の骨格筋に投与される、請求項１３に記載の組成物。
【請求項１７】
前記組成物が対象の横隔膜に投与される、請求項１３に記載の組成物。
【請求項１８】
前記組成物が薬理学的シャペロンと組み合わされるか、それと共投与されるか、またはそれと共に別々に投与される、請求項１３に記載の組成物。
【請求項１９】
前記組成物が１−デオキシノジリマイシンもしくはその塩と組み合わされるか、それと共投与されるか、またはそれと共に別々に投与される、請求項１３に記載の組成物。
【請求項２０】
前記組成物がＮ−ブチル−デオキシノジリマイシンもしくはその塩と組み合わされるか、それと共投与されるか、またはそれと共に別々に投与される、請求項１３に記載の組成物。
【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
植物材料から１種以上のカンナビノイドを精製する方法であって、本質的に以下の工程からなる方法：
ａ）前記植物材料を、石油エーテル、ペンタンおよびヘキサンからなる群より選択される非極性溶媒と共に定温放置して第１の溶媒混合物を形成し、それにより植物材料から前記１種以上のカンナビノイドを抽出する工程、
ｂ）前記第１の溶媒混合物の体積を工程（ａ）における前記第１の溶媒混合物の元の体積の約５０％以下まで減少させ、それにより前記１種以上のカンナビノイドを濃縮する工程、
ｃ）減少させた前記第１の溶媒混合物を約−７０℃〜約４０℃の温度範囲で定温放置して前記１種以上のカンナビノイドを結晶化させる工程、
ｄ）結晶化された前記１種以上のカンナビノイドを、工程（ａ）と同じ非極性溶媒である非極性溶媒と共に定温放置して第２の溶媒混合物を形成し、それにより、結晶化された前記１種以上のカンナビノイドの少なくとも５０％を溶解する工程、および
ｅ）前記第２の溶媒混合物を約−７０℃〜約４０℃の温度範囲で定温放置して前記１種以上のカンナビノイドを結晶化させ、それにより１種以上のカンナビノイドの精製がもたらされる工程。
【請求項２】
工程（ｄ）の前に、工程（ｃ）の結晶化された１種以上のカンナビノイドの回収が行われる、請求項１に記載の方法。
【請求項３】
結晶産物および母液の収集をもたらす濾過を用いて前記回収が行われる、請求項２に記載の方法。
【請求項４】
前記母液を約−７０℃〜約４０℃の温度範囲で定温放置して前記１種以上のカンナビノイドを結晶化させる工程をさらに含む、請求項３に記載の方法。
【請求項５】
ｆ）結晶産物および母液の収集をもたらす濾過を用いて、結晶化された前記１種以上カンナビノイドを回収する工程、および
ｇ）前記母液を約−７０℃〜約４０℃の温度範囲で定温放置して前記１種以上のカンナビノイドを結晶化させる工程
をさらに含む、請求項４に記載の方法。
【請求項６】
工程（ｆ）および（ｇ）を少なくとも１回繰り返す、請求項５に記載の方法。
【請求項７】
工程（ｄ）と（ｅ）、または工程（ｂ）と（ｃ）、を少なくとも１回繰り返す、請求項１に記載の方法。
【請求項８】
工程（ｂ）または（ｃ）の前に工程（ａ）の前記第１の溶媒混合物を精製する、請求項１に記載の方法。
【請求項９】
工程（ａ）の前に、前記植物材料を加熱することによって前記植物材料中に存在する１種以上のカンナビノイドを脱炭酸する、請求項１に記載の方法。
【請求項１０】
工程（ｂ）または（ｄ）の１つ以上の後に液−液クロマトグラフィーを行う工程をさらに含む、請求項１に記載の方法。
【請求項１１】
植物材料からカンナビノイドを精製する方法であって、本質的に以下の工程からなる方法：
ａ）前記植物材料を、ペンタン、ヘキサン、ヘプタン、シクロヘキサン、石油エーテル、ジクロロメタン、トリクロロメタン、テトラヒドロフラン、ジエチルエーテル、エタノール、メタノール、イソプロパノール、アセトン、アセトニトリル、酢酸エチル、ブタン、プロパン、冷媒ガス１，１，１，２−テトラフルオロエタン（Ｒ１３４ａ）、液体ＣＯ２、臨界未満ＣＯ２もしくは超臨界ＣＯ２からなる群より選択される溶媒またはこれらの溶媒の混合物と共に定温放置して第１の溶媒混合物を形成し、それにより植物材料から前記１種以上のカンナビノイドを抽出する工程、
ｂ）前記第１の溶媒混合物を濾過、デカントまたは遠心分離する工程、
ｃ）乾燥状態まで前記第１の溶媒混合物の体積を減少させ、それにより第１の抽出物において前記１種以上のカンナビノイドを濃縮する工程、
ｄ）前記第１の抽出物を、石油エーテル、ペンタンおよびヘキサンからなる群より選択される非極性溶媒と共に定温放置して第２の溶媒混合物を形成し、それにより前記第１の抽出物から前記１種以上のカンナビノイドを抽出する工程、
ｅ）前記第２の溶媒混合物を濾過、デカントまたは遠心分離する工程、
ｆ）前記第２の溶媒混合物を約−７０℃〜約４０℃の温度範囲で定温放置して前記１種以上のカンナビノイドを結晶化させる工程、
ｇ）結晶産物および母液の収集をもたらす濾過を用いて工程（ｄ）における結晶化された前記１種以上のカンナビノイドを収集する工程、
ｈ）結晶化された前記１種以上のカンナビノイドを、工程（ｄ）と同じ非極性溶媒である非極性溶媒と共に定温放置して第３の溶媒混合物を形成する工程であって、前記第３の溶媒混合物が、結晶化された前記１種以上のカンナビノイドの少なくとも５０％を溶解する工程、
ｉ）前記第３の溶媒混合物を約−７０℃〜約４０℃の温度範囲で定温放置して前記１種以上のカンナビノイドを結晶化させる工程、および
ｊ）結晶産物および母液の収集をもたらす濾過を用いて工程（ｉ）の結晶化された前記１種以上のカンナビノイドを収集し、それにより１種以上のカンナビノイドの精製がもたらされる工程。
【請求項１２】
前記１種以上のカンナビノイドを結晶化させるために、工程（ｇ）および／または工程（ｊ）の前記母液が約−７０℃〜約４０℃の温度範囲で定温放置される、請求項１１に記載の方法。
【請求項１３】
ｋ）結晶産物および母液の収集をもたらす濾過を用いて、結晶化された前記１種以上のカンナビノイドを収集する工程、および
ｌ）前記母液を約−７０℃〜約４０℃の温度範囲で定温放置して前記１種以上のカンナビノイドを結晶化させる工程
をさらに含む、請求項１２に記載の方法。
【請求項１４】
工程（ｋ）および（ｌ）を少なくとも１回繰り返す、請求項１３に記載の方法。
【請求項１５】
工程（ｈ）および（ｉ）を少なくとも１回繰り返す、請求項１１に記載の方法。
【請求項１６】
工程（ｈ）、（ｉ）および（ｊ）を少なくとも１回繰り返す、請求項１１に記載の方法。
【請求項１７】
工程（ｂ）の前に工程（ａ）の前記第１の溶媒混合物を精製する、請求項１１に記載の方法。
【請求項１８】
工程（ａ）の前に、加熱によって前記植物材料中に存在する１種以上のカンナビノイドを脱炭酸する、請求項１１に記載の方法。
【請求項１９】
工程（ｃ）、（ｇ）または（ｊ）の１つ以上の後に液−液クロマトグラフィーを行う工程をさらに含む、請求項１１に記載の方法。
【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
(i)脂質膜及び水性コアを含む脂質ナノ粒子、並びに
(ii)複数のインドシアニングリーン(ICG)分子
を含む組成物であって、前記ICG分子の1つ又は複数が前記脂質膜内に埋め込まれている、組成物。
【請求項２】
前記脂質膜が、1,2-ジステアロイル-sn-グリセロ-3-ホスホコリン(DSPC)、及び1,2-ジステアロイル-sn-グリセロ-3-ホスホエタノールアミン-N-メトキシ-ポリエチレングリコール-2000(DSPEmPEG2000)を含む、請求項1に記載の組成物。
【請求項３】
前記ICGの少なくとも約95%が前記脂質膜内に埋め込まれている、請求項1に記載の組成物。
【請求項４】
前記ICGの少なくとも約99%が前記脂質膜内に埋め込まれている、請求項1に記載の組成物。
【請求項５】
前記ICGの実質的に約100%が前記脂質膜内に埋め込まれている、請求項1に記載の組成物。
【請求項６】
前記ICGの5%未満が前記水性コア内にカプセル化されている、請求項1に記載の組成物。
【請求項７】
前記ICGの1%未満が前記水性コア内にカプセル化されている、請求項1に記載の組成物。
【請求項８】
前記水性コア内にカプセル化されている前記ICGの量が検出不可能である、請求項1に記載の組成物。
【請求項９】
前記脂質ナノ粒子が、pH5〜8及び約303mOSMのOsmを有する生体適合緩衝液中に懸濁されている、請求項1に記載の組成物。
【請求項１０】
前記ナノ粒子が50nmから100nmの平均サイズを有する、請求項1に記載の組成物。
【請求項１１】
前記ナノ粒子が負の表面電荷を有する、請求項1に記載の組成物。
【請求項１２】
前記ナノ粒子が血清中で安定であり、25℃で6時間後、加熱不活化された血清中でその最初の蛍光の約90%から約100%が保持される、請求項1に記載の組成物。
【請求項１３】
前記ナノ粒子が、水溶液中で、遊離ICGの蛍光強度よりも4倍から5倍高い蛍光強度を有する、請求項1に記載の組成物。
【請求項１４】
前記ナノ粒子が、4℃で0日から約300日の間保存した後、水溶液中で、遊離ICGの蛍光強度よりも4倍から10万倍高い蛍光強度を有する、請求項1に記載の組成物。
【請求項１５】
約0.5mg/kg体重未満のICG用量で有効である、請求項1に記載の組成物。
【請求項１６】
約0.01mg/kg体重のICG用量で有効である、請求項1に記載の組成物。
【請求項１７】
対象における組織又は器官をイメージングするための、請求項1に記載の組成物。
【請求項１８】
全身投与及び局所投与からなる群から選択される投与経路を介して投与される、請求項17に記載の組成物。
【請求項１９】
全身投与が、血管内注入を含む、請求項18に記載の組成物。
【請求項２０】
局所投与が、皮下注入、皮内注入、粘膜下注入、漿膜下注入、腫瘍内注入、筋肉内注入、経口投与、鼻内投与、及び腫瘍周辺注入を含む、請求項18に記載の組成物。
【請求項２１】
組成物の量が、約0.01mg/体重kgから約0.5mg/体重kgのICG用量に等しい、請求項19に記載の組成物。
【請求項２２】
単回投与時での組成物の量が、0.1ngから0.1mgのICG用量に等しい、請求項20に記載の組成物。
【請求項２３】
前記組織又は器官が、リンパ管、二次リンパ系組織、血管、内皮病変、腫瘍、三次リンパ系組織、肝臓、胆管、胆嚢、腸、胃、脳、胸部、肺、心臓、眼、卵巣、及び前立腺からなる群から選択される、請求項17に記載の組成物。
【請求項２４】
ナノ粒子を調製するための方法であって、
(a)インドシアニングリーン(ICG)と脂質分子とを有機溶媒中で共に混合する工程、
(b)前記有機溶媒を蒸発させて前記脂質分子及び前記ICGを含む薄膜を得る工程、
(c)緩衝塩で前記薄膜を水和する工程；及び
(d)粒径を低減させる工程
を含む、方法。
【請求項２５】
前記脂質分子が、1,2-ジステアロイル-sn-グリセロ-3-ホスホコリン(DSPC)、及び1,2-ジステアロイル-sn-グリセロ-3-ホスホエタノールアミン-N-メトキシ-ポリエチレングリコール-2000(DSPEmPEG2000)を含む、請求項24に記載の方法。
【請求項２６】
前記有機溶媒が、エタノール、メタノール、クロロホルム、酢酸エチル、又はDMSOを含む、請求項24に記載の方法。
【請求項２７】
前記緩衝塩が、約0.9%のNaCl及び約20mMのNaHCO3を含む、請求項24に記載の方法。
【請求項２８】
濾過工程、精製工程、若しくは分離工程、又はその組合せを含まない、請求項24に記載の方法。
【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
ａ）（メタ）アクリルモノマー混合物をチオール連鎖移動剤の存在下で部分的に重合して、３０００〜３０００００のＭＷを有する低ＭＷ溶質コポリマー及び未反応溶媒モノマーを含む第１のシロップポリマー組成物を製造するステップと、
ｂ）前記チオール連鎖移動剤をアミンでクエンチするステップと、
ｃ）３０００００〜３００００００のＭＷを有する高Ｍｗコポリマーを提供して、低Ｍｗ溶質コポリマー、３０００００〜３００００００のＭＷを有する高ＭＷ溶質コポリマー及び未反応溶媒モノマーを含む第２のシロップポリマー組成物を提供するステップと、
ｄ）任意選択で、架橋剤及び光開始剤をステップｃ）の前記シロップポリマー組成物へ加えるステップと、
ｅ）ステップｃ）の前記シロップポリマー組成物を更に光重合するステップと、を含む、（メタ）アクリレート接着剤を調製する方法。
【請求項２】
第２の高Ｍｗコポリマーが、ｉｎ  ｓｉｔｕで調製される、請求項１に記載の方法。
【請求項３】
ａ）（メタ）アクリルモノマー混合物をチオール連鎖移動剤の存在下で部分的に重合して、低Ｍｗ溶質コポリマー及び未反応溶媒モノマーを含む第１のシロップポリマー組成物を製造するステップと、
ｂ）前記チオール連鎖移動剤をアミンでクエンチするステップと、
ｃ）更に重合して、低Ｍｗ溶質コポリマー、高Ｍｗ溶質コポリマー及び未反応溶媒モノマーを含む第２のシロップポリマー組成物を製造するステップと、
ｄ）任意選択で、架橋剤及び光開始剤をステップｃ）の前記第２のシロップポリマー組成物へ加えるステップと、
ｅ）ステップｃ）の前記シロップポリマー組成物を更に光重合するステップと、を含む、請求項２に記載の方法。
【請求項４】
ステップｄ）の前記シロップポリマー組成物が、最後の光重合するステップの前に、基材にコーティングされる、請求項３に記載の方法。
【請求項５】
ステップｃ）が、少なくとも１〜２５％の変換度まで部分的に重合して、３０００００〜３００００００のＭｗを有する前記高Ｍｗ溶質コポリマーを含む第２のシロップポリマーを製造するステップである、請求項３に記載の方法。
【請求項６】
ステップｅ）の接着剤コポリマー生成物が、架橋された高Ｍｗコポリマー、及び低Ｍｗコポリマーを含む、請求項３に記載の方法。
【請求項７】
ステップａ）の前記モノマー混合物が、フリーラジカル重合性光開始剤を含む、請求項１に記載の方法。
【請求項８】
前記モノマー混合物が、求核性又は求電子性官能基を有する官能性アクリレートモノマーを含む、請求項１に記載の方法。
【請求項９】
前記第１の溶質コポリマーが、ペンダント求電子性又は求核性官能基を有し、
前記第１の溶質コポリマーの前記官能基が、共反応性官能基を有する光開始剤と反応して、ペンダント光開始基を有する溶質コポリマーを生成する、請求項８に記載の方法。
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
（ａ）（ａ１）シリカ前駆体成分と、
（ａ２）アルミニウム、亜鉛、チタン、ジルコニウム、タングステン、イッテルビウム、ハフニウム、ビスマス、バリウム、ストロンチウム、銀、タンタル、ランタン、スズ、ホウ素及びセリウムの化合物から選択される１つ又は複数の化合物の溶液又は分散体と、
を含有する混合物を、パルスリアクタ内に導入する工程と、
（ｂ）前記シリカ前駆体成分及び前記化合物を、無炎燃焼により得られるパルスガス流によって粒状混合酸化物に変換する工程と、
（ｃ）前記パルスリアクタから前記粒状混合酸化物を単離する工程と、
（ｄ）前記粒状混合酸化物を熱処理工程にかける工程と、
（ｅ）熱処理された前記粒状混合酸化物をシラン処理剤により処理して、粒状歯科用フィラー組成物を得る工程と、
を含む、粒状歯科用フィラー組成物を製造する方法。
【請求項２】
前記パルスリアクタが、燃焼チャンバと比較して流積が著しく小さい共鳴管と流体流連通する出口開口を有する燃焼チャンバを備える、請求項１に記載の方法。
【請求項３】
無炎燃焼により得られるガス流を２０Ｈｚ〜１５０Ｈｚでパルス化する、請求項１に記載の方法。
【請求項４】
前記パルスリアクタの燃焼チャンバ内における前記ガス流の温度が、少なくとも８００℃である、請求項１〜３のいずれか一項に記載の方法。
【請求項５】
前記化合物が、アルミニウム、亜鉛、チタン、ジルコニウム、タングステン、イッテルビウム、ハフニウム、バリウム及びストロンチウムから選択される１つ又は複数の元素を含有する、請求項１〜４のいずれか一項に記載の方法。
【請求項６】
前記シリカ前駆体成分及び前記化合物を、無炎燃焼により得られるパルスガス流によって前記粒状混合酸化物に変換する工程が、コーティングを、前記粒状混合酸化物の外表面上に形成することを更に含む、請求項１〜５のいずれか一項に記載の方法。
【請求項７】
前記コーティングが、金属、半金属及び／又はランタノイドの酸化物、窒化物、炭化物、ケイ化物、ホウ化物又はフッ化物を含有する、請求項６に記載の方法。
【請求項８】
前記粒状混合酸化物が、タングステン、イッテルビウム及び／又はビスマスを含有する、請求項１〜７のいずれか一項に記載の方法により得られる歯科用フィラー組成物。
【請求項９】
ＤＩＮ  ＩＳＯ  ９２７７：２００３−０５により求められる場合、多くとも２０ｍ２／ｇのＢＥＴ表面を有する、請求項８に記載の歯科用フィラー組成物。
【請求項１０】
歯科用組成物における、請求項８に記載の前記歯科用フィラー組成物の使用。
【請求項１１】
歯科用修復材料が、歯科用コンポジット、根管封止剤、又は歯科用セメントである、請求項１０に記載の使用。
【請求項１２】
（ｉ）請求項８に記載の前記歯科用フィラー組成物と、
（ｉｉ）１つ若しくは複数の重合性化合物及び／又は１つ若しくは複数のポリマーと、
（ｉｉｉ）重合開始剤系と、
を含む歯科用修復材料。
【請求項１３】
（ｉ）請求項８に記載の前記歯科用フィラー組成物と、
（ｉｉ）１つ若しくは複数の重合性化合物及び／又は１つ若しくは複数のポリマーと、
（ｉｉｉ）重合開始剤系と、
を含む、請求項１２に記載の歯科用修復材料。
【請求項１４】
（ｉ）請求項８に記載の前記歯科用フィラー組成物と、
（ｉｉ）１つ又は複数のポリ酸ポリマーと、
を含む、歯科用修復材料。
【請求項１５】
前記歯科用フィラー組成物を歯科用レジンマトリックスに組み込む工程を含む、請求項１２〜１４のいずれか一項に記載の歯科用修復材料の製造方法。
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
炭化粒子又は凝集体を製造するための方法であって、ここで、前記方法は、連続的又は半連続的であり、前記炭化粒子又は凝集体は、好ましくは炭素粉末の形態であり、最も好ましくは導電性であり、以下のステップを含む、上記方法：
ａ）リグノセルロース系材料、好ましくはリグニンから発生する粉末形態の乾燥原料を提供し、流体媒体中で前記原料を懸濁及び／又は希釈するステップ、
ｂ）約６００〜約２５００℃、好ましくは約９００〜約１８００℃、最も好ましくは約１０００〜約１４００℃の温度範囲で、前記流体媒体中の原料を炭化し、これによって、１つ以上の炭化粒子又は凝集体を、好ましくは炭素粉末の形態で提供するステップを含み、また任意に
ｃ）後処理ステップ、
を含む、上記方法。
【請求項２】
ステップｂ）の炭化は、流体培地中の、好ましくは不活性ガス混合物中の原料を高温チャンバー、好ましくは炉系に運び、好ましくは約１ミリ秒〜約１／４時間までの間に、流体培地中の前記原料を連続的に熱処理し、それによって炭化粒子又は凝集体を、好ましくは炭素粉末の形態で提供する、請求項１に記載の方法。
【請求項３】
不活性ガス混合物は、窒素と二酸化炭素からなる、請求項２に記載の方法。
【請求項４】
ステップａ）の原料は、９０％超えの乾燥固体である、請求項１に記載の方法。
【請求項５】
ステップａ）の原料は、均質化され、粉砕され、破砕され及び／又は流体媒体で含浸されるなどの前処理がされている、請求項１に記載の方法。
【請求項６】
ステップａ）の原料は、任意に、溶媒、塩、水、又はそれらの混合物などの液体で含浸するなど、補助剤との処理も含む、所定の粒径に粉砕されている、請求項１に記載の方法。
【請求項７】
ステップｂ）から得られた炭化粒子又は凝集体が分離され、前記分離は、任意の後処理前に流体媒体から抽出及び／又は回収を含み得る、請求項１に記載の方法。
【請求項８】
ステップｃ）の後処理は、規定された粒径、表面特性、表面分極及び／又は特定の物質に対する親和性に、好ましくは炭素粉末の形態で、前記炭化粒子又は凝集体の粉砕、含浸及び／又はコーティグすることを含む、請求項１に記載の方法。
【請求項９】
１００ｍ２／ｇ超え、好ましくは約１３０〜１０００ｍ２／ｇのＢＥＴ表面積を有する炭化粒子又は凝集体、好ましくは炭化された炭素粉末を生成する請求項１〜８のいずれか一項に記載の方法。
【請求項１０】
その中の炭化粒子又は炭化凝集体は、約１ｎｍ〜約１ｍｍ、好ましくは約１０ｎｍ〜約５００μｍ、最も好ましくは約１０ｎｍ〜約２５０μｍの寸法を示す、請求項９に記載の方法。
【請求項１１】
請求項１〜１０のいずれか一項に記載の方法によって得ることができる炭化粒子又は凝集体、好ましくは炭化された炭素粉末。
【請求項１２】
垂れ防止材料において、制御された放出材料として、水処理において、溶媒回収において、気体状態において、空気浄化において、活性炭素として、タイヤ用ゴムの補強等の補強剤として、トナーとして、レオオロジー増強剤として、インクジェット組成物中などの顔料として、カラーフィルターとして、ＵＶ安定剤として、伝導性材料として、電池電極材料として、コンピュータ及び携帯電話用ハウジング、自動車機器、電線、ケーブル、パイプ及び航空機器などの適用での使用のための導電性ポリマー組成物中の添加剤として、帯電防止剤として、ポリマー組成物中、スーパーキャパシター中、センサー中、伝導性インク中の充填剤として、及び粘性流体として、請求項１１に記載の炭化粒子又は凝集体、好ましくは炭化された炭素粉末の使用。
【手続補正書】
【提出日】平成30年10月24日(2018.10.24)
【手続補正１】
【補正対象書類名】特許請求の範囲
【補正対象項目名】全文
【補正方法】変更
【補正の内容】
【特許請求の範囲】
【請求項１】
直接吸入のためにユーザの口及び／又は鼻に近接した領域に浄化された空気を供給するためのウェアラブル空気浄化装置であって、前記ウェアラブル空気浄化装置は、：
空気チャンバを有するシンセティックジェットジェネレータであって：
前記空気チャンバは、開口部を有するとともに、第１の位置と第２の位置との間でたわみ、それによって前記空気チャンバ内で容積を変化させるように適合される可撓性ダイアフラムをさらに有し、前記容積の変化は、前記ダイアフラムが前記第１の位置に向かってたわむときの前記開口部を経由する前記空気チャンバの中への第１の方向の空気の移動、及び前記ダイアフラムが前記第２の位置に向かってたわむときの前記開口部を経由する前記空気チャンバの外への第２の方向の空気の移動を誘起する、
シンセティックジェットジェネレータと；
前記空気チャンバ内に配置される濾過エレメントであって、前記濾過エレメントは、空気が通過して前記空気チャンバの中に入るとき及び前記空気チャンバの外に出るときの両方で空気が清浄化されるように、前記開口部を通って前記第１の方向に前記空気チャンバの中に移動される空気と流体連通するように並びに前記開口部を通って前記第２の方向に前記空気チャンバの外に移動される空気と流体連通するように、構成される、濾過エレメントと；
を有する、
ウェアラブル空気浄化装置。
【請求項２】
前記可撓性ダイアフラムは、少なくとも部分的に、前記チャンバの境界を画定する、
請求項１に記載の空気浄化装置。
【請求項３】
２以上の位置の間で振動するように前記ダイアフラムを駆動するための駆動機構をさらに有する、
請求項１又は２に記載の空気浄化装置。
【請求項４】
前記ダイアフラムの表面積は、１又は複数の前記開口部のいずれか１つの断面積より大きい、
請求項１乃至３のいずれか１項に記載の空気浄化装置。
【請求項５】
少なくとも部分的に共有される境界によって互いに隔てられる、２以上の前記空気チャンバを有し、前記境界は、少なくとも１つの前記可撓性ダイアフラムによって少なくとも部分的に画定される、
請求項１乃至４のいずれか１項に記載の空気浄化装置。
【請求項６】
少なくとも１つの前記開口部のうちの１又は複数は、前記開口部を通る空気流を制御するためのバルブを有する、
請求項１乃至５のいずれか１項に記載の空気浄化装置。
【請求項７】
前記空気チャンバは、外側チャンバの中に内側チャンバを画定し、前記内側チャンバと前記外側チャンバとの間の空間は、少なくとも１つの前記開口部への入口通路を画定する、
請求項１乃至６のいずれか１項に記載の空気浄化装置。
【請求項８】
前記装置と環境との間の熱交換を最小にするための断熱層をさらに有する、
請求項１乃至７のいずれか１項に記載の空気浄化装置。
【請求項９】
フィルタマスク構造であって：
それぞれ請求項１乃至８のいずれか１項に記載のフィルタ装置のアレイを有し、前記アレイは、前記空気チャンバの外へ移動される空気が、前記移動される空気がユーザによって吸入され得るよう、前記ユーザの顔にごく近接した、共通領域に向かって推進されるように、配置される、
フィルタマスク構造。
【請求項１０】
少なくとも１つの空気チャンバを有するシンセティックジェットジェネレータを有するウェアラブルフィルタ装置の使用により、直接吸入のために、浄化された空気を発生させるとともにユーザの口及び／又は鼻に近接した領域に供給する方法であって、前記チャンバは、開口部を有するとともにさらに可撓性ダイアフラムを有し、前記方法は：
前記空気チャンバ内で容積を変化させるように第１の位置と第２の位置との間で前記可撓性ダイアフラムをたわませるステップであって、前記容積の変化は、前記ダイアフラムが前記第１の位置に向かってたわむときの前記開口部を経由する前記空気チャンバの中への第１の方向の空気の移動及び前記ダイアフラムが前記第２の位置に向かってたわむときの前記開口部を経由する前記空気チャンバの外への第２の方向の空気の移動を誘起する、ステップと、
空気が通過して前記空気チャンバの中に入るとき及び前記空気チャンバの外に出るときの両方で空気が清浄化されるよう、前記空気チャンバ内に配置される１又は複数の濾過エレメントが、前記開口部を通って前記第１の方向に前記空気チャンバの中に移動される空気と流体連通するように並びに前記開口部を通って前記第２の方向に前記空気チャンバの外に移動される空気と流体連通するように、前記１又は複数の濾過エレメントと流体連通するよう前記移動される空気を向けるステップと、
を含む、
方法。
【請求項１１】
前記濾過エレメントは、１又は複数の衝突プレートを有し、前記方法は、少なくとも１つの前記空気チャンバの外へ移動される空気を前記衝突プレートに向け、それによって前記移動される空気から特定の汚染物質を捕えるステップを含む、
請求項１０に記載の方法。
【請求項１２】
１又は複数のチャンネルを経由して少なくとも１つの前記空気チャンバの中へ移動されるように空気を吸い込み、それによって高い流入速度を誘起し、その結果として慣性力によって前記特定の汚染物質を濾過するステップをさらに含む、
請求項１１に記載の方法。